(57)【要約】【課題】光源ユニットの製造工程の簡略化を図る。【解決手段】光源ユニット８は、ベース部材５、第一ＬＥＤ基板１、第二ＬＥＤ基板２及び電源装置４を備える。第一ＬＥＤ基板１と第二ＬＥＤ基板２は、長手方向Ｄ１に一列に並ぶように、ベース部材５の取付面５０に取り付けられる。ベース部材５が有する第一爪部５１は、第一ＬＥＤ基板１の第一切欠部１１に挿入される。ベース部材５が有する第二爪部５２は、第二ＬＥＤ基板２の第二切欠部２１に挿入される。電源装置４は、導電体６を介して第一ＬＥＤ基板１に電気接続される。第二切欠部２１と第二爪部５２との長手方向Ｄ１のクリアランスは、第一切欠部１１と第一爪部５１との長手方向Ｄ１のクリアランスよりも大きい。【選択図】図３
2020140906.tif 000002
【特許請求の範囲】
【請求項１】
長手方向を有する長尺の取付面が形成されたベース部材と、
それぞれが長尺である複数のＬＥＤ基板と、
前記複数のＬＥＤ基板を、前記長手方向に一列に並ぶように前記取付面に取り付ける取付構造と、
前記ベース部材を挟んで前記複数のＬＥＤ基板とは反対側に配置される電源装置と、
前記複数のＬＥＤ基板を前記電源装置に電気接続する通電部と、を備え、
前記複数のＬＥＤ基板は、第一ＬＥＤ基板と、前記長手方向において第一ＬＥＤ基板に隣接する第二ＬＥＤ基板と、を含み、
前記取付構造は、前記ベース部材が有する第一爪部と、前記第一爪部が挿入されるように前記第一ＬＥＤ基板に形成された第一切欠部と、前記ベース部材が有する第二爪部と、前記第二爪部が挿入されるように前記第二ＬＥＤ基板に形成された第二切欠部と、を含み、
前記通電部は、前記ベース部材を貫通して前記電源装置と前記第一ＬＥＤ基板を電気接続する導電体と、前記第一ＬＥＤ基板と前記第二ＬＥＤ基板を電気接続するコネクタと、を含み、
前記第二切欠部と、前記第二爪部のうち前記第二切欠部に挿通された部分との前記長手方向の寸法差を第二クリアランスとし、前記第一切欠部と、前記第一爪部のうち前記第一切欠部に挿通された部分との前記長手方向の寸法差を第一クリアランスとしたとき、前記第二クリアランスは前記第一クリアランスよりも大きい
光源ユニット。
【請求項２】
前記長手方向において、前記第二切欠部の寸法は前記第一切欠部の寸法よりも大きい
請求項１の光源ユニット。
【請求項３】
前記複数のＬＥＤ基板は、三つ以上のＬＥＤ基板であり、
前記第一ＬＥＤ基板は、前記取付面において前記長手方向に一列に並ぶ前記三つ以上のＬＥＤ基板のうち、前記長手方向の両端を除いた位置にある
請求項１又は２の光源ユニット。
【請求項４】
前記電源装置を複数備え、かつ前記複数の電源装置に対して前記導電体を介して一対一で電気接続される前記第一ＬＥＤ基板を複数備え、
前記複数の第一ＬＥＤ基板は、前記取付面において前記長手方向に一列に並ぶ前記複数のＬＥＤ基板のうち、前記長手方向の両端を除いた位置にある
請求項１又は２の光源ユニット。
【請求項５】
請求項１から４のいずれか一項の光源ユニットと、
前記光源ユニットを支持する器具本体と、を備える
照明器具。
【発明の詳細な説明】
【技術分野】
【０００１】
本発明は、光源ユニット及び照明器具に関する。
【背景技術】
【０００２】
特許文献１には、複数のＬＥＤ基板を備える長尺の光源ユニットが記載されている。この光源ユニットにおいては、長尺の支持部材の一面側に、複数のＬＥＤ基板を一列に並ぶように支持させている。これら複数のＬＥＤ基板には、電源装置とつながるように引き回された配線を介して、電力が供給される。
【先行技術文献】
【特許文献】
【０００３】
【特許文献１】特開２０１７−３３７９１号公報
【発明の概要】
【発明が解決しようとする課題】
【０００４】
上記した従来の光源ユニットにおいては、複数のＬＥＤ基板と電源装置をつなぐように配線を引き回す必要があり、製造工程の簡略化の面で不利となることがある。
【０００５】
本発明は、製造工程の簡略化を図ることができる光源ユニット及び照明器具を提供することを、目的とする。
【課題を解決するための手段】
【０００６】
本発明の一態様に係る光源ユニットは、長手方向を有する長尺の取付面が形成されたベース部材と、それぞれが長尺である複数のＬＥＤ基板と、前記複数のＬＥＤ基板を、前記長手方向に一列に並ぶように前記取付面に取り付ける取付構造と、前記ベース部材を挟んで前記複数のＬＥＤ基板とは反対側に配置される電源装置と、前記複数のＬＥＤ基板を前記電源装置に電気接続する通電部と、を備える。
【０００７】
前記複数のＬＥＤ基板は、第一ＬＥＤ基板と、前記長手方向において第一ＬＥＤ基板に隣接する第二ＬＥＤ基板と、を含む。前記取付構造は、前記ベース部材が有する第一爪部と、前記第一爪部が挿入されるように前記第一ＬＥＤ基板に形成された第一切欠部と、前記ベース部材が有する第二爪部と、前記第二爪部が挿入されるように前記第二ＬＥＤ基板に形成された第二切欠部と、を含む。前記通電部は、前記ベース部材を貫通して前記電源装置と前記第一ＬＥＤ基板を電気接続する導電体と、前記第一ＬＥＤ基板と前記第二ＬＥＤ基板を電気接続するコネクタと、を含む。前記第二切欠部と、前記第二爪部のうち前記第二切欠部に挿通された部分との前記長手方向の寸法差を第二クリアランスとし、前記第一切欠部と、前記第一爪部のうち前記第一切欠部に挿通された部分との前記長手方向の寸法差を第一クリアランスとしたとき、前記第二クリアランスは前記第一クリアランスよりも大きい。
【０００８】
本発明の一態様に係る照明器具は、前記光源ユニットと、前記光源ユニットを支持する器具本体と、を備える。
【発明の効果】
【０００９】
本発明によれば、製造工程の簡略化を図ることができる光源ユニット及び照明器具を提供することができる。
【図面の簡単な説明】
【００１０】
【図１】図１は、一実施形態の照明器具の斜視図である。
【図２】図２は、同上の照明器具の分解斜視図である。
【図３】図３は、同上の照明器具が備える発光ユニットの正面図である。
【図４】図４Ａ、図４Ｂは、同上の発光ユニットの第一爪部でＬＥＤ基板の抜け止めを行う手順を示す要部斜視図である。
【図５】図５Ａ、図５Ｂは、同上の発光ユニットの第二爪部でＬＥＤ基板の抜け止めを行う手順を示す要部斜視図である。
【図６】図６は、同上の発光ユニットの変形例１を模式的に示す正面図である。
【図７】図７は、同上の発光ユニットの変形例２を模式的に示す正面図である。
【図８】図８は、同上の発光ユニットの変形例３を模式的に示す正面図である。
【発明を実施するための形態】
【００１１】
（一実施形態）
図１、図２に示すように、一実施形態の照明器具９は、天井直付け型の照明器具であって、図示略の吊ボルトを用いて天井に取り付けられる平面視矩形状の器具本体８５と、器具本体８５に着脱自在に取り付けられる光源ユニット８を備える。
【００１２】
器具本体８５の天井とは反対側（下側）を向く面には、光源ユニット８を収容するための矩形状の凹部８５２が、器具本体８５の全長に亘って設けられている。器具本体８５の短手方向において凹部８５２の両側には、凹部８５２の開口縁から延出した傾斜面８５４が設けられている。傾斜面８５４は、凹部８５２の開口縁から外側に離れた箇所ほど、天井に近づくように傾斜している。器具本体８５の長手方向の両端部には、エンドキャップ８５６が取り付けられている。
【００１３】
光源ユニット８は、一直線状の外形を有する長尺のベース部材５と、同じく一直線状の外形を有する二つのＬＥＤ基板１，２を備える。以下において、二つのＬＥＤ基板１，２のうち符号１が付されたものを「第一ＬＥＤ基板」と称し、符号２が付されたものを「第二ＬＥＤ基板」と称する。
【００１４】
一実施形態の光源ユニット８は、第一ＬＥＤ基板１と第二ＬＥＤ基板２を覆うようにベース部材５に装着される透光性のカバー部材８１と、第一ＬＥＤ基板１と第二ＬＥＤ基板２に点灯電力を供給する電源装置４を、更に備える。
【００１５】
カバー部材８１は、拡散性を有する材料（例えば乳白色のアクリル樹脂）で形成されている。電源装置４は、一対のピン状の導電体６を介して、第一ＬＥＤ基板１に対して電気的にかつ機械的に接続される。金属製である一対の導電体６は、第一ＬＥＤ基板１とベース部材５を貫通して、電源装置４のコネクタ４２に挿入される。
【００１６】
以下においては、一実施形態の光源ユニット８が備える各構成について、更に詳しく説明する。
【００１７】
まず、ベース部材５について説明する。
【００１８】
ベース部材５は、板金に曲げ加工を施すことで、全体が断面Ｕ字状に形成されている（図２参照）。ベース部材５は、細長い矩形板状の底板部５６と、底板部５６の短手方向の両端から延出する一対の側板部５８を備える。底板部５６の正面に、第一ＬＥＤ基板１と第二ＬＥＤ基板２を取り付ける長尺の取付面５０が形成されている。
【００１９】
第一ＬＥＤ基板１と第二ＬＥＤ基板２はともに、長手方向、短手方向及び厚さ方向を有する細長い矩形板状のプリントＬＥＤ基板である。
【００２０】
一実施形態の光源ユニット８では、第一ＬＥＤ基板１と第二ＬＥＤ基板２がベース部材５の取付面５０に取り付けられた状態で、第一ＬＥＤ基板１と第二ＬＥＤ基板２の長手方向が、ベース部材５と取付面５０の長手方向Ｄ１と一致する。同様に、第一ＬＥＤ基板１と第二ＬＥＤ基板２の短手方向が、ベース部材５と取付面５０の短手方向Ｄ２と一致し、第一ＬＥＤ基板１と第二ＬＥＤ基板２の厚さ方向が、ベース部材５の厚さ方向Ｄ３と一致する。長手方向Ｄ１、短手方向Ｄ２及び厚さ方向Ｄ３は、いずれもが残りの二つと直交する関係にある。
【００２１】
次に、第一ＬＥＤ基板１と、これをベース部材５に取り付けるための構造について説明する。
【００２２】
第一ＬＥＤ基板１は、ベース部材５の取付面５０のうち、長手方向Ｄ１の第一側の半部領域に取り付けられる。この半部領域は、取付面５０の長手方向Ｄ１の中央を基準とし、該中央よりも第一側の領域である。以下においては、理解をしやすくするために長手方向Ｄ１の第一側を「左側」と称し、これとは反対側である長手方向Ｄ１の第二側を「右側」と称する。
【００２３】
第一ＬＥＤ基板１の厚さ方向Ｄ３の一面には、複数の発光ダイオード１８が、長手方向Ｄ１に沿って一列に実装されている。発光ダイオード１８の配列は一列に限定されず、例えば複数列に配列されてもよいし、千鳥状に配列されてもよい。各発光ダイオード１８は電圧印可により発光する性質を有していればよく、その材質と発光色は特に限定されない。各発光ダイオード１８が、有機エレクトロルミネッセンス素子であってもよい。
【００２４】
第一ＬＥＤ基板１の短手方向Ｄ２の両側の長辺にはそれぞれ、図３等に示すような矩形状の第一切欠部１１が、長手方向Ｄ１に距離をあけて複数設けられている。各第一切欠部１１は、後述の第一爪部５１と一対一で対応する位置にある。
【００２５】
第一ＬＥＤ基板１の右側の端部には、一対のコネクタ１５が設けられている。
【００２６】
図３等に示すように、第一ＬＥＤ基板１をベース部材５に取り付けるための複数の第一爪部５１は、ベース部材５において、二列に並んで位置している。各列において、複数の第一爪部５１は長手方向Ｄ１に一直線状に並んで位置する。
【００２７】
各第一爪部５１は、板金製である底板部５６の一部を切り起こすことで、Ｌ字型に形成されている。
【００２８】
図４Ａ等に示すように、各第一爪部５１は、取付面５０から厚さ方向Ｄ３に起立する第一スライド規制部５１２と、第一スライド規制部５１２の突先部分から長手方向Ｄ１に延長された第一離間規制部５１４を有する。第一離間規制部５１４は、図４Ｂ等に示すように、短手方向Ｄ２の内側に向けて折れ曲がるようにかしめられることで、第一切欠部１１の縁部分に引っ掛かる。
【００２９】
第一スライド規制部５１２は、第一ＬＥＤ基板１が長手方向Ｄ１に移動することと、第一ＬＥＤ基板１が短手方向Ｄ２の外側に向けて移動することを規制する。第一離間規制部５１４は、第一ＬＥＤ基板１が厚さ方向Ｄ３においてベース部材５から離れることを規制する。
【００３０】
次に、第二ＬＥＤ基板２と、これをベース部材５に保持させるための構造について説明する。
【００３１】
図２等に示すように、第二ＬＥＤ基板２は、ベース部材５の取付面５０のうち、右側の半部領域に取り付けられる。この半部領域は、取付面５０の長手方向Ｄ１の中央を基準とし、該中央よりも右側の領域である。第二ＬＥＤ基板２の厚さ方向Ｄ３の一面には、複数の発光ダイオード２８が、長手方向Ｄ１に沿って一列に実装されている。
【００３２】
第二ＬＥＤ基板２においても、複数の発光ダイオード２８の配列は一列に限定されず、例えば複数列に配列されてもよいし、千鳥状に配列されてもよい。複数の発光ダイオード２８の配列が、複数の発光ダイオード１８の配列と相違してもよい。各発光ダイオード２８は電圧印可により発光する性質を有していればよく、その材質と発光色は特に限定されない。各発光ダイオード２８が、有機エレクトロルミネッセンス素子であってもよい。
【００３３】
第二ＬＥＤ基板２の短手方向Ｄ２の両側の長辺にはそれぞれ、図３等に示すような矩形状の第二切欠部２１が、長手方向Ｄ１に距離をあけて複数設けられている。各第二切欠部２１は、後述の第二爪部５２に一対一で対応する位置にある。
【００３４】
第二ＬＥＤ基板２の左側の端部には、一対のコネクタ２５が設けられている。一対のコネクタ２５は、第一ＬＥＤ基板１の一対のコネクタ１５に対して電気的にかつ機械的に接続するように構成されている。
【００３５】
第二ＬＥＤ基板２をベース部材５に取り付けるための複数の第二爪部５２は、ベース部材５において二列に並んで位置している。各列において、複数の第二爪部５２は長手方向Ｄ１に一直線状に並んで位置する。
【００３６】
各第二爪部５２は、板金製である底板部５６の一部を切り起こすことで、第一爪部５１と同様のＬ字型に形成されている。
【００３７】
図５Ａ等に示すように、各第二爪部５２は、取付面５０から厚さ方向Ｄ３に起立する第二スライド規制部５２２と、第二スライド規制部５２２の突先部分から長手方向Ｄ１に延長された第二離間規制部５２４を有する。第二離間規制部５２４は、短手方向Ｄ２の内側に向けて折れ曲がるようにかしめられることで、第二切欠部２１の縁部分に引っ掛かる。
【００３８】
第二スライド規制部５２２は、第二ＬＥＤ基板２が長手方向Ｄ１に移動することと、第二ＬＥＤ基板２が短手方向Ｄ２の外側に向けて移動することを規制する。第二離間規制部５２４は、第二ＬＥＤ基板２が厚さ方向Ｄ３においてベース部材５から離れることを規制する。
【００３９】
上記のように、一実施形態の光源ユニット８では、ベース部材５が有する複数の第一爪部５１及び複数の第二爪部５２と、第一ＬＥＤ基板１に形成された複数の第一切欠部１１と、第二ＬＥＤ基板２に形成された複数の第二切欠部２１で、取付構造が構成されている。この取付構造を介して、第一ＬＥＤ基板と第二ＬＥＤ基板２が、長手方向Ｄ１に一列に並ぶようにして取付面５０に取り付けられる。
【００４０】
また、一実施形態の光源ユニット８では、第一ＬＥＤ基板１の端部に実装された一対のコネクタ１５と、第二ＬＥＤ基板２の端部に実装された一対のコネクタ２５と、一対の導電体６で、通電部が構成されている。この通電部を介して、第一ＬＥＤ基板１及び第二ＬＥＤ基板２と、ベース部材５を挟んでこれらの反対側に配置される電源装置４とが、電気接続される。
【００４１】
したがって、一実施形態の光源ユニット８では、従来技術のように配線を引き回すことなく、第一ＬＥＤ基板１と第二ＬＥＤ基板２をそれぞれ電源装置４につなぐことができ、製造工程の簡略化を図ることができる。
【００４２】
ここで、一実施形態の光源ユニット８においては、第二ＬＥＤ基板２が有する第二切欠部２１の長手方向Ｄ１の寸法ｄ２を、第一ＬＥＤ基板１が有する第一切欠部１１の長手方向Ｄ１の寸法ｄ１よりも、大きく設定している（図３参照）。これに対して、ベース部材５が有する第一爪部５１と第二爪部５２の寸法形状は、互いに同一である。
【００４３】
そのため、第二切欠部２１と第二スライド規制部５２２の長手方向Ｄ１の寸法差（以下「第二クリアランス」という。）は、第一切欠部１１と第一スライド規制部５１２の長手方向Ｄ１の寸法差（以下「第一クリアランス」という。）よりも大きい。
【００４４】
第二スライド規制部５２２の長手方向Ｄ１の寸法は、言い換えれば、第二爪部５２のうち第二切欠部２１に挿通される部分の長手方向Ｄ１の寸法である。第二クリアランスは、第二切欠部２１に挿通された第二スライド規制部５２２が、長手方向Ｄ１において移動可能な寸法である。
【００４５】
同様に、第一スライド規制部５１２の長手方向Ｄ１の寸法は、第一爪部５１のうち第一切欠部１１に挿通される部分の長手方向Ｄ１の寸法である。第一クリアランスは、第一切欠部１１に挿通された第一スライド規制部５１２が、長手方向Ｄ１において移動可能な寸法である。
【００４６】
第一ＬＥＤ基板１と第二ＬＥＤ基板２がともにガラスコンポジット基板であるとき、第二クリアランスと第二クリアランスの差は、例えば０．３ｍｍから１ｍｍの範囲内で設定される。
【００４７】
一実施形態の光源ユニット８では、第一ＬＥＤ基板１が一対の導電体６を介して電源装置４に電気接続されており、第一ＬＥＤ基板１の変位はこの接続部分において拘束される。そのため、第一ＬＥＤ基板１と第二ＬＥＤ基板２がともに熱膨張したときには、第一ＬＥＤ基板１が全体の膨張の起点となり、第一ＬＥＤ基板１よりも第二ＬＥＤ基板２のほうが長手方向Ｄ１に大きく変位する。これに対して、一実施形態の光源ユニット８では第二クリアランスが第一クリアランスよりも大きいので、第二爪部５２の一部（つまり第二離間規制部５２４）が第二ＬＥＤ基板２に当って破損を生じさせることは抑えられる。
【００４８】
（変形例）
一実施形態の光源ユニット８の各種の変形例について、以下に説明する。各種の変形例の説明において、一実施形態において説明した構成と同様の構成については、同一符号を付して詳しい説明を省略する。
【００４９】
図６には、一実施形態の光源ユニット８の変形例１を示している。変形例１において、光源ユニット８は、一対のコネクタ２５が設けられた第二ＬＥＤ基板２を、二つ備えている。第一ＬＥＤ基板１の長手方向Ｄ１の両端部には、それぞれ一対のコネクタ１５が設けられている。
【００５０】
二つの第二ＬＥＤ基板２のうち一方の第二ＬＥＤ基板２にある一対のコネクタ２５が、第一ＬＥＤ基板１の一端部にある一対のコネクタ１５に電気接続されている。二つの第二ＬＥＤ基板２のうち他方の第二ＬＥＤ基板２にある一対のコネクタ２５が、第一ＬＥＤ基板１の他端部にある一対のコネクタ１５に電気接続されている。
【００５１】
変形例１では、一対の導電体６を介して電源装置４に電気接続されていることから全体の熱膨張の起点となる第一ＬＥＤ基板１が、長手方向Ｄ１の両端を除いた位置にある。そのため、両端の第二ＬＥＤ基板２が熱膨張の影響で長手方向Ｄ１に大きく変位することは抑えられている。
【００５２】
図７には、一実施形態の光源ユニット８の変形例２を示している。変形例２において、光源ユニット８は、変形例１と同様の二つの第二ＬＥＤ基板２と、第二ＬＥＤ基板２に対して電気接続される第三ＬＥＤ基板３を備えている。
【００５３】
二つの第二ＬＥＤ基板２のうち一方の第二ＬＥＤ基板２には、第三ＬＥＤ基板３に電気接続される一対のコネクタ２７が設けられている。一対のコネクタ２７は、第二ＬＥＤ基板２のうち一対のコネクタ２５が設けられている端部とは反対側の端部に、設けられている。
【００５４】
第三ＬＥＤ基板３の短手方向Ｄ２の両側の長辺にはそれぞれ、矩形状の第三切欠部３１が、長手方向Ｄ１に距離をあけて複数設けられている。これら複数の第三切欠部３１は、底板部５６の一部を切り起こして形成された複数の第三爪部５３と、一対一で対応する位置にある。各第三爪部５３は、第一爪部５１及び第二爪部５２と同一の寸法形状を有している。
【００５５】
したがって、第三切欠部３１の長手方向Ｄ１の寸法と、第三爪部５３のうち第三切欠部３１に挿通された部分の長手方向Ｄ１の寸法との差を第三クリアランスとしたとき、この第三クリアランスは第一クリアランスよりも大きい。
【００５６】
第三切欠部３１の長手方向Ｄ１の寸法は、第二切欠部２１の長手方向Ｄ１の寸法よりも大きいことが好ましい。この場合、第三クリアランスは第一クリアランスよりも大きく、かつ第二クリアランスよりも大きい。
【００５７】
第三ＬＥＤ基板３の左側の端部には、一対のコネクタ３５が設けられている。一対のコネクタ３５は、第二ＬＥＤ基板２の一対のコネクタ２７に対して電気的にかつ機械的に接続するように構成されている。
【００５８】
変形例２においても、一対の導電体６を介して電源装置４に電気接続されていることから全体の熱膨張の起点となる第一ＬＥＤ基板１が、長手方向Ｄ１の両端を除いた位置にある。そのため、長手方向Ｄ１の両端に位置する第二ＬＥＤ基板２と第三ＬＥＤ基板３が、熱膨張の影響で長手方向Ｄ１に大きく変位することが抑えられている。
【００５９】
図８には、一実施形態の光源ユニット８の変形例３を示している。変形例３において、光源ユニット８は、電源装置４とこれに電気接続される第一ＬＥＤ基板１の組を、複数組（具体的には二組）備えている。
【００６０】
二つの第一ＬＥＤ基板１は、長手方向Ｄ１に隣接して位置している。二つの第一ＬＥＤ基板１を挟んだ長手方向Ｄ１の両側に、それぞれ第二ＬＥＤ基板２が位置している。二つ第二ＬＥＤ基板２は、長手方向Ｄ１の中央側に位置する二つの第一ＬＥＤ基板１に対して、一対一で電気接続されている。
【００６１】
変形例３においても、一対の導電体６を介して電源装置４に接続されていることから全体の熱膨張の起点となる第一ＬＥＤ基板１が、長手方向Ｄ１の両端を除いた位置にある。そのため、長手方向Ｄ１の両端に位置する第二ＬＥＤ基板２が、熱膨張の影響で長手方向Ｄ１に大きく変位することが抑えられている。
【００６２】
なお、上記した各種の変形例は一例に過ぎず、同様の作用効果を奏する範囲内において、一実施形態及び各種の変形例の構成を適宜に設計変更することが可能であり、また、各種の変形例の構成を適宜に組み合わせることが可能である。
【００６３】
（態様）
第１の態様の光源ユニット（８）は、ベース部材（５）、複数のＬＥＤ基板（１，２，…）、取付構造、電源装置（４）及び通電部を備える。ベース部材（５）には、長手方向（Ｄ１）を有する長尺の取付面（５０）が形成されている。複数のＬＥＤ基板（１，２，…）は、それぞれが長尺である。取付構造は、複数のＬＥＤ基板（１，２，…）を、長手方向（Ｄ１）に一列に並ぶように取付面（５０）に取り付ける構造である。電源装置（４）は、ベース部材（５）を挟んで複数のＬＥＤ基板（１，２，…）とは反対側に配置される。通電部は、複数のＬＥＤ基板（１，２，…）と電源装置（４）を電気接続する。複数のＬＥＤ基板（１，２，…）は、第一ＬＥＤ基板（１）と、長手方向（Ｄ１）において第一ＬＥＤ基板（１）に隣接する第二ＬＥＤ基板（２）を含む。取付構造は、ベース部材（５）が有する第一爪部（５１）と、第一爪部（５１）が挿入されるように第一ＬＥＤ基板（１）に形成された第一切欠部（１１）と、ベース部材（５）が有する第二爪部（５２）と、第二爪部（５２）が挿入されるように第二ＬＥＤ基板（２）に形成された第二切欠部（２１）を含む。通電部は、ベース部材（５）を貫通して電源装置（４）と第一ＬＥＤ基板（１）を電気接続する導電体（６）と、第一ＬＥＤ基板（１）と第二ＬＥＤ基板（２）を電気接続するコネクタ（１５，２５）を含む。第二切欠部（２１）と、第二爪部（５２）のうち第二切欠部（２１）に挿通された部分との長手方向（Ｄ１）の寸法差を第二クリアランスとし、第一切欠部（１１）と、第一爪部（５１）のうち第一切欠部（１１）に挿通された部分との長手方向（Ｄ１）の寸法差を第一クリアランスとしたとき、第二クリアランスは第一クリアランスよりも大きい。
【００６４】
第１の態様の光源ユニット（８）によれば、従来技術のように配線を引き回すことなく、第一ＬＥＤ基板（１）と第二ＬＥＤ基板（２）をそれぞれ電源装置（４）につなぐことができ、製造工程の簡略化を図ることができる。加えて、第１の態様の光源ユニット（８）では、第二爪部（５２）が第二切欠部（２１）内で長手方向（Ｄ１）に移動可能な寸法が、第一爪部（５１）が第一切欠部（１１）内で長手方向（Ｄ１）に移動可能な寸法よりも、大きい。そのため、第一ＬＥＤ基板（１）と第二ＬＥＤ基板（２）が熱膨張を原因として破損を生じることが、効果的に抑えられる。
【００６５】
第２の態様の光源ユニット（８）は、第１の態様において下記の構成を更に備える。第２の態様の光源ユニット（８）では、長手方向（Ｄ１）において、第二切欠部（２１）の寸法は第一切欠部（１１）の寸法よりも大きい。
【００６６】
第２の態様の光源ユニット（８）によれば、第一ＬＥＤ基板（１）と第二ＬＥＤ基板（２）で切り欠きの寸法形状に違いを設けることにより、第一ＬＥＤ基板（１）と第二ＬＥＤ基板（２）が熱膨張を原因として破損を生じることが、効果的に抑えられる。
【００６７】
第３の態様の光源ユニット（８）は、第１又は第２の態様において下記の構成を更に備える。第３の態様の光源ユニット（８）において、複数のＬＥＤ基板（１，２，…）は、三つ以上のＬＥＤ基板（１，２，…）である。第一ＬＥＤ基板（１）は、取付面（５０）において長手方向（Ｄ１）に一列に並ぶ三つ以上のＬＥＤ基板（１，２，…）のうち、長手方向（Ｄ１）の両端を除いた位置にある。
【００６８】
第３の態様の光源ユニット（８）によれば、三つ以上のＬＥＤ基板（１，２，…）のうち長手方向（Ｄ１）の両端のものが、熱膨張の影響で長手方向（Ｄ１）に大きく変位することが抑えられる。
【００６９】
第４の態様の光源ユニット（８）は、第１又は第２の態様において下記の構成を更に備える。第４の態様の光源ユニット（８）は、電源装置（４）を複数備え、かつ複数の電源装置（４）に対して導電体（６）を介して一対一で電気接続される第一ＬＥＤ基板（１）を複数備える。複数の第一ＬＥＤ基板（１）は、取付面（５０）において長手方向（Ｄ１）に一列に並ぶ複数のＬＥＤ基板（１，２，…）のうち、長手方向（Ｄ１）の両端を除いた位置にある。
【００７０】
第４の態様の光源ユニット（８）によれば、複数のＬＥＤ基板（１，２，…）のうち長手方向（Ｄ１）の両端のものが、熱膨張の影響で長手方向（Ｄ１）に大きく変位することが抑えられる。
【００７１】
第１の態様の照明器具（９）は、第１から第４のいずれか一つの態様の光源ユニット（８）と、光源ユニット（８）を支持する器具本体（８５）を備える。
【００７２】
第１の態様の照明器具（９）によれば、照明器具（９）の製造工程の簡略化を図ることができ、加えて、光源ユニット（８）の第一ＬＥＤ基板（１）と第二ＬＥＤ基板（２）が熱膨張を原因として破損を生じることが、効果的に抑えられる。
【符号の説明】
【００７３】
１  第一ＬＥＤ基板
１１  第一切欠部
１５  コネクタ
２  第二ＬＥＤ基板
２１  第二切欠部
２５  コネクタ
４  電源装置
５  ベース部材
５０  取付面
５１  第一爪部
５２  第二爪部
６  導電体
８  光源ユニット
８５  器具本体
９  照明器具
Ｄ１  長手方向
【図１】
2020140906.tif 000003
【図２】
2020140906.tif 000004
【図３】
2020140906.tif 000005
【図４】
2020140906.tif 000006
【図５】
2020140906.tif 000007
【図６】
2020140906.tif 000008
【図７】
2020140906.tif 000009
【図８】
2020140906.tif 000010